(57)【要約】      （修正有）【課題】安全ベルトの着用をスムーズに引掛け係止ができるようにし、挿入した安全ベルトを引掛け係止している嵌挿孔の幅員を上方部分を広く、下方部分を漸次狭めることにより、挿入中の安全ベルトの離脱を未然に防止する。【解決手段】工具等保持具を表面部に取着する基板１と、基板１の左側端部４と右側端部５とを後方に折曲する左側折曲板部６と右側折曲板部７を形成し、左側折曲板部６と右側折曲板部７の内側部に、安全ベルトＢを嵌挿する縦長形状の嵌挿孔８、８を夫々形成し、左側折曲板部６と右側折曲板部７の下方部に、両嵌挿孔８、８と連接する前記安全ベルトＢの挿入口部９を左側折曲板部６と前記右側折曲板部７の夫々の後方端縁部を開口状にして夫々形成し、嵌挿孔８、８と左側折曲板部６及び右側折曲板部７の夫々の後方端縁部との間に左側係止部と右側係止部とを形成した。【選択図】 図１
0003135327.tif 000002
【実用新案登録請求の範囲】
【請求項１】
工具等保持具を表面部に取着する基板と、前記基板の左側端部と右側端部とを後方に折曲する左側折曲板部と右側折曲板部を形成し、前記左側折曲板部と前記右側折曲板部の内側部に、安全ベルトを嵌挿する縦長形状の嵌挿孔を夫々形成し、前記左側折曲板部と前記右側折曲板部の下方部に、前記両嵌挿孔と連接する前記安全ベルトの挿入口部を前記左側折曲板部と前記右側折曲板部の夫々の後方端縁部を開口状にして夫々形成し、前記嵌挿孔と前記左側折曲板部及び前記右側折曲板部の夫々の後方端縁部との間に左側係止部と右側係止部とを形成することを特徴とする安全ベルト用工具ホルダー。
【請求項２】
前記嵌挿孔は、前記安全ベルトの幅員よりも長目に形成することを特徴とする請求項１記載の安全ベルト用工具ホルダー。
【請求項３】
前記挿入口部は、前記安全ベルトの厚さよりも大きいことを特徴とする請求項１又は同２記載の安全ベルト用工具ホルダー。
【請求項４】
前記左側係止部と前記右側係止部とを、下端部に行くに従って、前記左側係止部と前記右側係止部との下方端部が密着もしくは若干開き状態に内側方に折曲せしめることを特徴とする請求項１又は同２又は同３記載の安全ベルト用工具ホルダー。
【請求項５】
前記左側係止部と前記右側係止部の内側面部と、前記内側面部と対向する前記縦長形状の嵌挿孔を形成する対向内側面部との幅員を、前記左側係止部と前記右側係止部の下方端部の方向に行くに従って幅員を漸次狭くすることを特徴とする請求項１又は同２又は同３又は同４記載の安全ベルト用工具ホルダー。
【考案の詳細な説明】
【技術分野】
【０００１】
本考案は、安全ベルト用工具ホルダーの分野に関するものである。
【背景技術】
【０００２】
従来、安全ベルト用工具ホルダーとして、実用新案登録第３１０７９９９号登録実用新案公報が開示されている。
【０００３】
前記開示の安全ベルト用工具ホルダーは、工具等保持具Ａを表面部に突設する基板ａの裏面部に引掛け体ｂを設けているが、使用資材が板材のため、薄いというイメージから、稍もすると衝撃が加ると折曲したり、あるいはベルトから離脱するのではないかとの不安感を抱かせるおそれがあった。
【０００４】
さらに、前記開示の安全ベルト用工具ホルダーＡは、引掛け体ｂと基板ａとに、ベルトＢを挿通し、前記ベルトＢの嵌挿と挿通とを併せて処理することもできるが、前記ベルトＢへの取着作業工程が煩雑であった。
【特許文献１】実用新案登録第３１０７９９９号登録実用新案公報
【考案の開示】
【考案が解決しようとする課題】
【０００５】
本考案の安全ベルト用工具ホルダーは、安全ベルトの着用をスムーズに引掛け係止ができるようにしたものである。
【０００６】
さらに、本考案は、安全ベルトの挿入時に引掛け個所を狭めることによって、前記安全ベルトの挿入作業を簡単にして、しかも短時間で挿入し、引掛けることができるようにした。
【０００７】
また、本考案は、挿入した前記安全ベルトを引掛け係止している嵌挿孔の幅員を上方部分を広く、下方部分を漸次狭めることによって、挿入中の前記安全ベルトの離脱を未然に防止した。
【課題を解決するための手段】
【０００８】
課題を解決するための手段として、請求項１記載の考案は、工具等保持具を表面部に取着する基板１と、前記基板１の左側端部４と右側端部５とを後方に折曲する左側折曲板部６と右側折曲板部７を形成し、前記左側折曲板部６と前記右側折曲板部７の内側部に、安全ベルトＢを嵌挿する縦長形状の嵌挿孔８、８を夫々形成し、前記左側折曲板部６と前記右側折曲板部７の下方部に、前記両嵌挿孔８、８と連接する前記安全ベルトＢの挿入口部９を前記左側折曲板部６と前記右側折曲板部７の夫々の後方端縁部を開口状にして夫々形成し、前記嵌挿孔８、８と前記左側折曲板部６及び前記右側折曲板部７の夫々の後方端縁部との間に左側係止部６ａと右側係止部７ａとを形成することを特徴とする安全ベルト用工具ホルダーである。
【０００９】
請求項２記載の考案は、前記嵌挿孔８、８が、前記安全ベルトＢの幅員よりも長目に形成することを特徴とする請求項１記載の安全ベルト用工具ホルダーである。
【００１０】
請求項３記載の考案は、前記挿入口部９が、前記安全ベルトＢの厚さよりも大きいことを特徴とする請求項１又は同２記載の安全ベルト用工具ホルダーである。
【００１１】
請求項４記載の考案は、前記左側係止部６ａと前記右側係止部７ａとを、下端部に行くに従って、前記左側係止部６ａと前記右側係止部７ａとの下方端部が密着もしくは若干開き状態に内側方に折曲せしめることを特徴とする請求項１又は同２又は同３記載の安全ベルト用工具ホルダーである。
【００１２】
請求項５記載の考案は、前記左側係止部６ａと前記右側係止部７ａの内側面部と、前記内側面部７ａと対向する前記縦長形状の嵌挿孔８、８を形成する対向内側面部８ａとの幅員を、前記左側係止部６ａと前記右側係止部７ａの下方端部の方向に行くに従って幅員を漸次狭くすることを特徴とする請求項１又は同２又は同３又は同４記載の安全ベルト用工具ホルダーである。
【考案の効果】
【００１３】
請求項１記載の考案は、工具等保持具を表面部に取着する基板と、前記基板の左側端部と右側端部とを後方に折曲する左側折曲板部と右側折曲板部を形成し、前記左側折曲板部と前記右側折曲板部の内側部に、安全ベルトを嵌挿する縦長形状の嵌挿孔を夫々形成し、前記左側折曲板部と前記右側折曲板部の下方部に、前記両嵌挿孔と連接する前記安全ベルトの挿入口部を前記左側折曲板部と前記右側折曲板部の夫々の後方端縁部を開口状にして夫々形成し、前記嵌挿孔と前記左側折曲板部及び前記右側折曲板部の夫々の後方端縁部との間に左側係止部と右側係止部とを形成する安全ベルト用工具ホルダーなので、安全ベルトが下方部の両サイドの挿入口部から極めて容易に挿入できる利点がある。
【００１４】
さらに、本考案は、左右両側折曲部に、挿入口部付き嵌挿孔を連接せしめ、前記安全ベルトを挿入せしめる構造なので、製作費を安価に提供できる利点がある。
【００１５】
請求項２記載の考案は、前記嵌挿孔が前記安全ベルトの幅員よりも長目に形成する安全ベルト用工具ホルダーなので、前記請求項１記載の考案と同じ効果を有している。
【００１６】
請求項３記載の考案は、前記挿入口部が前記安全ベルトの厚さよりも大きい安全ベルト用工具ホルダーなので、安全ベルトの嵌脱が極めてスムーズである。
【００１７】
さらに請求項３記載の考案は、前記請求項１又は同２記載の考案と同じ効果を有している。
【００１８】
請求項４記載の考案は、前記左側係止部と前記右側係止部とを、下端部に行くに従って、前記左側係止部と前記右側係止部との下方端部が密着もしくは若干開き状態に内側方に折曲せしめる安全ベルト用工具ホルダーなので、前記両側係止部を折曲せしめることによって、前記安全ベルトの挿入と取外しがスムーズにできる利点がある。
【００１９】
さらに、本考案は、請求項１又は同２又は同３記載の効果と同じ効果を有している。
【００２０】
請求項５記載の考案は、前記左側係止部と前記右側係止部の内側面部と、前記内側面部と対向する前記縦長形状の嵌挿孔を形成する対向内側面部との幅員を、前記左側係止部と前記右側係止部の下方端部の方向に行くに従って幅員を漸次狭くする安全ベルト用工具ホルダーなので、請求項１又は同２又は同３又は同４記載の効果と同じ効果を有している。
【考案を実施するための最良の形態】
【００２１】
請求項１〜５に係る本考案の安全ベルト用工具ホルダーに関する実施の形態は、共通しているので以下のとおり一括して説明する。
【００２２】
図において、Ａは本考案の安全ベルト用工具ホルダーであり、以下の構成からなっている。
【００２３】
１は工具等保持具２を取着する基板である。前記工具等保持具２は、前記基板１の表面部３に取着する。前記工具等保持具２の形状は、図面のものに限定しない。前記基板１の高さは、安全ベルトＢの幅員よりも長い板材を使用する。
【００２４】
前記基板１の左側端部４と、右側端部５とを後方に折曲して細長形状の左側折曲板部６と細長形状の右側折曲板部７とを夫々対称的に形成する。
【００２５】
前記両側折曲板部６、７は、平面よりみて前記基板１も含めてコ字形状をしている。
【００２６】
従って前記両側折曲板部６、７は、基板１の幅員より短目である。
【００２７】
さらに、前記左側折曲板部６と前記右側折曲板部７の内側部に、前記安全ベルトＢを挿入する縦長形状の嵌挿孔８、８を夫々形成する。
【００２８】
９は、前記左側折曲板部６と、前記右側折曲板部７の夫々の後方端縁部１１、１１から、前記両嵌挿孔８、８と夫々連接するように形成する前記安全ベルトＢの挿入口部である。
【００２９】
前記挿入口部９は、両側折曲板部６、７に対称的に形成する。
【００３０】
６ａは前記嵌挿孔８と前記左側折曲板部６の後方端縁部１１との間に形成する左側係止部である。
【００３１】
７ａは前記嵌挿孔８と前記右側折曲板部７の後方端縁部１１との間に形成する右側係止部である。
【００３２】
前記左側係止部６ａと右側係止部７ａは、図面図示のように、基板１の内側方向に、稍Ｖ形状等に折曲し、下方端部を接近もしくは密着させる。
【００３３】
さらに、前記挿入口部９は、前記両側折曲板部６、７の夫々の後方端縁部１１を開口状に形成する。
【００３４】
そして、前記挿入口部９は、前記両折曲板部６、７の下方部位に形成して、前記安全ベルトＢの挿入をスムーズにする。
【００３５】
さらに、前記嵌挿孔８、８は、安全ベルトＢの幅員よりも長く形成する。
【００３６】
また、前記挿入口部９は、前記安全ベルトＢの厚さよりも大きく形成する。
【００３７】
１０は前記工具等保持具２に嵌挿のハンマーである。
【００３８】
１１は前記基板１に設けた軽量化を図るための窓孔であり、形状は限定しない。
【００３９】
以上の構成が本考案の安全ベルト用工具ホルダーである。
【００４０】
前記安全ベルト用工具ホルダーＡを、前記安全ベルトＢに着用するには、前記挿入口部９を、前記安全ベルトＢの上端部に挿入し、挿入後は本考案の安全ベルト用工具ホルダーＡを下方向に落し込むと、前記安全ベルトＢの全体が前記嵌挿孔８、８内に嵌挿する。
【００４１】
そのため、前記のように嵌挿した安全ベルトＢが、前記嵌挿孔８、８から容易に離脱しない。
【００４２】
前記左側係止部６ａと前記右側係止部７ａは、前記のように折曲すると、前記安全ベルトＢを挿入するときは、前記両係止部６ａ、７ａの狭まっている下方端部に、前記安全ベルトＢを挿込むだけで前記ベルトＢの挿入は可能である。
【００４３】
さらに、両係止部６ａ、７ａの下方端部が前記のように狭まっているので、前記ベルトＢを離脱するときも前記ベルトＢの下端縁部を、前記挿入口部９より外すだけで、直ちに前記ベルトＢの離脱ができる。
【００４４】
前記両係止部６ａ、７ａは、図１、２のように折曲しない状態にして使用したり、あるいは図３に図示するように、内側方に折曲して使用ができる。そして、図３の状態から、図１、２のように開いた状態に戻した状態での使用も可能である。
【００４５】
さらに、図４のように前記両係止部６ａ、７ａの内側面部８ｂと、前記内側面部８ｂと対向する前記嵌挿孔８の対向内側面部８ａとの幅員を前記両係止部６ａ、７ａの下方端部に行くに従って狭めての使用も可能である。
【図面の簡単な説明】
【００４６】
【図１】本考案安全ベルト用工具ホルダーの使用状態を示す一部切欠斜視図である。
【００４７】
【図２】同工具ホルダーの斜視図である。
【００４８】
【図３】同工具ホルダーの第２実施例の背面図である。
【００４９】
【図４】第２実施形態の同工具ホルダーの右側面図である。
【符号の説明】
【００５０】
Ａ      安全ベルト用工具ホルダー
Ｂ      安全ベルト
１      基板
２      工具等保持具
３      表面部
４      左側端部
５      右側端部
６      左側折曲板部
６ａ    左側係止部
７      右側折曲板部
７ａ    右側係止部
８      嵌挿孔
９      挿入口部
１０    ハンマー
１１    後方端縁部
１２    窓孔
【図１】
0003135327.tif 000003
【図２】
0003135327.tif 000004
【図３】
0003135327.tif 000005
【図４】
0003135327.tif 000006